(57)【要約】【課題】幼児から大人までが一緒になって楽しむことができ、創造力、記憶力、思考力を育む絵あわせ用カードゲーム具を提供する。【解決手段】本絵合わせ用カードゲーム具は絵柄が表記された表記部１１を有する複数枚の着色した絵あわせシート１と、無色の絵合わせシート２と、絵柄を完成させるための絵柄の断片が表記された複数枚の絵あわせカード３と、遊戯を行うときに遊戯者が従う必要がある遊戯条件が表記された特殊カードである１回休みカード４及びシャッフルカード５とからなり、所定の絵合わせ用カードゲームに用いられる。【選択図】図７
0003118091.tif 000002
【実用新案登録請求の範囲】
【請求項１】
所定の絵合わせカードを組み合わせて、絵柄の早期完成を競うゲーム具であって、絵柄が表記された複数枚の絵あわせシートと、該絵あわせシートの絵柄を分割した絵柄の断片が表記された複数枚の絵あわせカードと、を備え、
該絵あわせシートの各々には異なった絵柄が表記され、所定の該絵柄カードを組み合わせたときに、該絵あわせシートの各々に表記された複数の絵柄のうちの一つの絵柄が完成され、且つ該絵あわせカードの各々の裏面には同一の模様が付されていることを特徴とする絵あわせ用カードゲーム具。
【請求項２】
前記絵あわせシートの枚数が２枚〜２０枚である請求項１に記載の絵あわせ用カードゲーム具。
【請求項３】
前記該絵あわせシートの表記部には、動物、虫、花、木、果物、自動車、船又は飛行機の絵柄が表記された請求項２項に記載の絵あわせ用カードゲーム具。
【請求項４】
前記絵あわせシートが１２枚であり、且つ、該絵あわせシートの表記部に干支を表す動物の絵柄が表記された請求項３に記載の絵あわせ用カードゲーム具。
【請求項５】
前記絵合わせシートは、該絵合わせシートの表記部に着色した絵柄が表記されたものである請求項１乃至４のいずれか１項に記載の絵あわせ用カードゲーム具。
【請求項６】
前記絵あわせシートの表記部に無色の絵柄が表記されている絵あわせシートを更に備える請求項５に記載の絵あわせ用カードゲーム具。
【請求項７】
前記絵あわせカードの枚数は、前記絵あわせシート１枚に付き２枚〜６枚である請求項５又は６に記載の絵あわせ用カードゲーム具。
【請求項８】
前記絵あわせカードの枚数は、前記絵あわせシート１枚に付き４枚又は６枚である請求項７に記載の絵あわせ用カードゲーム具。
【請求項９】
遊戯を行うときに遊戯者が従う必要がある遊戯条件が表記されたものである特殊カードを更に備える請求項８に記載の絵あわせ用カードゲーム具。
【請求項１０】
前記特殊カードは、遊戯者全員に平等に与えられた遊戯機会に対し、該特殊カードを所有することとなった遊戯者の遊戯機会を制限する旨の遊戯条件が表記されていて、１回又は２回休むという休みカードである請求項９に記載の絵あわせ用カードゲーム具。
【請求項１１】
前記特殊カードは、遊戯の場に表記部を裏にして無作為に置かれたカードを、更に無作為に混ぜることを指示する旨の遊戯条件が表記されているシャッフルカードである請求項９に記載の絵あわせ用カードゲーム具。
【請求項１２】
前記特殊カードは、前記休みカードと、前記シャッフルカードと、からなる請求項９に記載の絵あわせ用カードゲーム具。
【請求項１３】
前記休みカードの枚数は１枚〜６枚であり、前記シャッフルカードの枚数は２枚〜６枚である請求項１２に記載の絵あわせ用カードゲーム具。
【請求項１４】
前記絵合わせシート１０枚〜１５枚と、前記絵柄の断片が表記された表記部を有する４０枚〜６０枚の前記絵合わせカードと、遊戯を行うときに遊戯者が従う必要がある遊戯条件が表記された２枚〜１２枚の前記特殊カードと、を備え、該絵合わせシートの表記部は、異なった干支を表す動物の絵柄が着色されて表記され、該絵合わせカードは、該絵合わせシート１枚につき４枚からなり、該特殊カードは、該特殊カードを所有することとなった遊戯者の遊戯機会を制限する旨の遊戯条件が表記されている、休みカード１枚〜６枚と、遊戯の場に表記部を裏にして無作為におかれたカード２枚〜６枚を更に無作為に混ぜることを指示する旨の遊戯条件が表記されている、シャッフルカードと、からなる請求項１に記載の絵あわせ用カードゲーム具。
【請求項１５】
前記絵あわせシートの表記部に無色の絵柄が表記されている絵あわせシートを更に備える請求項１４に記載の絵あわせ用カードゲーム具。
【考案の詳細な説明】
【技術分野】
【０００１】
本考案は、絵あわせ用カードゲーム具に関し、更に詳しくは、楽しみながら知恵をつけ、創造力、記憶力及び思考力等を育む絵あわせ用カードゲーム具に関する。
【背景技術】
【０００２】
学習という楽しいとはいえない行為を、ゲームを通じて行うことができれば、楽しみながら意欲的に学習するという優れた効果をもたらす。従来より、カードを使って楽しみながら学ぶことができる学習用カードゲーム具が知られている（例えば、特許文献１及び２参照）。しかし、上記従来の学習用のカードゲーム具では、主として幼児及び児童等を対象とするものであった。そのため、一家団欒の場で家族全員が楽しみながら知恵をつけ、創造力、記憶力及び思考力等を育むことについては適切であるとはいえなかった。            
【０００３】
【特許文献１】特開２００３−１３５６４８号公報
【特許文献２】特開平９−７０４６７号公報
【考案の開示】
【考案が解決しようとする課題】
【０００４】
以上より本考案は、上記現状に鑑みてなされたものであり、幼児から大人までが一緒になって楽しむことができ、創造力、記憶力及び思考力等を育む絵あわせ用カードゲーム具を提供することを目的とする。
【課題を解決するための手段】
【０００５】
本考案は、以下の通りである。
１．所定の絵合わせカードを組み合わせて、絵柄の早期完成を競うゲーム具であって、絵柄が表記された複数枚の絵あわせシートと、該絵あわせシートの絵柄を分割した絵柄の断片が表記された複数枚の絵あわせカードと、を備え、該絵あわせシートの各々には異なった絵柄が表記され、所定の該絵柄カードを組み合わせたときに、該絵あわせシートの各々に表記された複数の絵柄のうちの一つの絵柄が完成され、且つ該絵あわせカードの各々の裏面には同一の模様が付されていることを特徴とする絵あわせ用カードゲーム具。
２．前記絵あわせシートの枚数が２〜２０枚である上記１に記載の絵あわせ用カードゲーム具。
３．前記絵あわせシートの表記部には、動物、虫、花、木、果物、自動車、船又は飛行機の絵柄が表記された上記２に記載の絵あわせ用カードゲーム具。
４．前記絵あわせシートが１２枚であり、且つ、該絵あわせシートの表記部に干支を表す動物の絵柄が表記された上記３に記載の絵あわせ用カードゲーム具。
５．前記絵合わせシートは、該絵合わせシートの表記部に着色した絵柄を表記したものである上記１乃至４のいずれかに記載の絵あわせ用カードゲーム具。
６．前記絵あわせシートの表記部に無色の絵柄が表記されている絵あわせシートを更に備える上記５に記載の絵あわせ用カードゲーム具。
７．前記絵あわせカードの枚数は、前記絵あわせシート１枚に付き２〜６枚である上記５又は６に記載の絵あわせ用カードゲーム具。
８．前記絵あわせカードの枚数は、前記絵あわせシート１枚に付き４又は６枚である上記７に記載の絵あわせ用カードゲーム具。
９．遊戯を行うときに遊戯者が従う必要がある遊戯条件が表記されたものである特殊カードを更に備える上記８に記載の絵あわせ用カードゲーム具。
１０．前記特殊カードは、遊戯者全員に平等に与えられた遊戯機会に対し、該特殊カードを所有することとなった遊戯者の遊戯機会を制限する旨の遊戯条件が表記されている、１回又は２回休むという休みカードである上記９に記載の絵あわせ用カードゲーム具。
１１．前記特殊カードは、遊戯の場に表記部を裏にして無作為に置かれたカードを、更に無作為に混ぜることを指示する旨の遊戯条件が表記されているシャッフルカードである上記９に記載の絵あわせ用カードゲーム具。
１２．前記特殊カードは、前記休みカードと、前記シャッフルカードと、からなる上記９に記載の絵あわせ用カードゲーム具。
１３．前記休みカードの枚数は１〜６枚であり、前記シャッフルカードの枚数は２〜６枚である上記１２に記載の絵あわせ用カードゲーム具。
１４．前記絵合わせシート１０〜１５枚と、前記絵柄の断片が表記された表記部を有する４０〜６０枚の前記絵合わせカードと、遊戯を行うときに遊戯者が従う必要がある遊戯条件が表記された２〜１２枚の前記特殊カードと、を備え、該絵合わせシートの表記部は、異なった干支の動物を表す絵柄が着色されて表記され、該絵合わせカードは、該絵合わせシート１枚につき４枚からなり、該特殊カードは、該特殊カードを所有することとなった遊戯者の遊戯機会を制限する旨の遊戯条件が表記されている、休みカードと、遊戯の場に表記部を裏にして無作為におかれたカードを更に無作為に混ぜることを指示する旨の遊戯条件が表記されている、シャッフルカードと、からなる前記１記載の絵あわせ用カードゲーム具。
１５．前記絵あわせシートの表記部に無色の絵柄が表記されている絵あわせシートを更に備える上記１４に記載の絵あわせ用カードゲーム具。 
【考案の効果】
【０００６】
本考案の絵あわせ用カードゲーム具は、構成が簡単であり、興趣性が大きく、楽しみながら創造力、記憶力、思考力を育むことができる。また、完成した該絵柄が表記されている複数枚の絵あわせシート（以下、単に「シート」ともいう）を備えているため、遊戯者が集めるべき絵あわせカードの判断が容易となり、幼児から大人までゲームを楽しむことができる。
また、前記シートが２〜２０枚である場合は、様々な絵柄を選択できため、興趣を増すことができる。
更に、前記シートの表記部に、動物、虫、花、木、果物、自動車、船又は飛行機の絵柄が表記されて場合は、幼児から大人まで理解しやすい絵柄となるため，ゲームに親しみやすい。
また、前記シートが１２枚であり、このシートの表記部が干支を表す動物の絵柄を表記するものであれば、ゲームを通じて干支を覚えることができる。
更に、前記シートの表記部に着色した絵柄を表記したものである場合は、幼児にとっても興味を引き、識別が容易であるため、ゲームを楽しみやすくすることができる。
また、前記シートの表記部が無色で表記されている複数のシートを更に備えていれば、このシートを用いた場合は、絵柄を色彩で識別することができなくなるため、より高度なゲーム性を楽しむことができる。
また、前記絵あわせ用カードは前記シート１枚に付き２乃至６枚である場合は、カードの大きさ及び枚数が適切であるため、ゲーム具の作製が容易であり、容器に収納しやすい。
【０００７】
更に、前記絵あわせカードが、前記シート１枚に付き４枚又は６枚である場合は、特にゲーム具の作製が容易であり、容器に収納しやすい。
また、前記絵合わせカードの表記部が、前記絵柄の断片に代えて、遊戯を行うときに遊戯者が従う必要がある遊戯条件が表記されたものである特殊カードを更に備えていればゲームの意外な展開を楽しむことができる。
更に、前記特殊カードが、遊戯者全員に平等に与えられた遊戯機会に対し、該特殊カードを所有することとなった遊戯者の遊戯機会を制限する旨の表記がされている、１回又は２回休むという休みカードであれば、更にゲームの意外な展開を楽しむことができる。
また、前記特殊カードが、該特殊カードを遊戯者が所有することになったときに、該特殊カードを元の位置にもどし、遊戯の場に表記部を裏にして無作為に置かれたカードを更に無作為に混ぜることを指示する旨の表記がされているシャッフルカードである場合も、更にゲームに意外性が生じ、興趣性が増すことになる。
更に、前記特殊カードが、前記休みカードと、前記シャッフルカードとの両方を備える場合は、特に、ゲームに意外性が大きく、興趣性が増すことになる。
また、前記休みカードの枚数は１〜６枚であり、前記シャッフルカードの枚数は２〜６枚であれば、多様なゲーム方法、遊戯者の人数に対応することができる。
【考案を実施するための最良の形態】
【０００８】
本考案の絵合わせ用カードゲーム具は、遊技者によって、選択された絵あわせシートに表記された絵柄となるように、絵柄の一部が表記された複数の絵あわせカードを集め、早期に絵柄を完成することを競うゲームに使用するためのゲーム具である。このカードゲーム具の遊技者については特に問わず、幼児から大人までに幅広くプレイすることができる。そのため、一家団欒で楽しむのにも適している。また、遊技者の参加人数は特に問わないが、２〜１０人、好ましくは２〜８人、更に好ましくは３〜５人である。
【０００９】
本考案に係る絵あわせ用カードゲーム具は、絵あわせシート、絵あわせカードを備える。
（１）絵あわせシート
上記「絵あわせシート」は、絵合わせカードを組み合わせることにより完成されることとなる絵柄が表記されたものである。このシートは、複数枚からなり、その形状、大きさ、材質、及び枚数等は特に問わない。上記形状は、矩形形状、ひし形形状、三角形状、六角形状等の多角形形状又は円形形状等とすることができる。このうちで特に矩形形状が好ましい。シートの製造及び収納が容易なためである。また、各々のシートの形状は同一形状とする。
上記シートの形状が矩形の場合は、縦寸法は、１００〜２００ｍｍ、好ましくは、１２０〜１８０ｍｍ、更に好ましくは１３０〜１７０ｍｍである。また、横寸法は、５０〜１１０ｍｍ、好ましくは、５５〜１０５ｍｍ、更に好ましくは６０〜１００ｍｍである。また、上記サイズのうちで特に好ましいのは、縦寸法が１３０〜１７０ｍｍであり、横寸法は、６０〜１００ｍｍである。
上記シートの大きさが、上記範囲以内であると、このシートの絵柄の断片からなる絵あわせカードの大きさも適切になる。このため、遊戯者が手の小さい幼児又は学童等の場合であっても、各々の絵合わせカード全体の観察をしやすいため、遊戯の進行が容易となる。
【００１０】
また、このシートの枚数は、２〜２０枚とすることができる。好ましくは４〜１８、更に好ましくは６〜１６枚である。上記範囲であると遊戯方法が複雑になることなく興趣が増し、また、収納が容易である。
このシートの表面（平面）は、表記部を有しこの表記部は絵柄表記部、縁取り表記部及び名称表記部を有することができる（図１参照）。上記絵柄表記部は、動物、虫、花、木、果物、自動車、船、及び飛行機等のうちから適宜選択した絵柄が表記される。これらのうち、動物、虫又は花が好ましい。更に、動物の中でも特に干支が好ましい。干支を覚えるという教育的効果があるためである。また、上記絵柄表記部の色は，特に限定されない。着色又は無色であることを問わない。ゲーム方法の多様性の観点から、着色したシート及び無色のシート（図２参照）の両方のシートを備えることが好ましい。
【００１１】
また、このシートの裏面（底面）の模様等は特に限定されない。無地にすることもできるし、模様を有するものとすることができる。
上記シートの材質は、紙、プラスチック、金属、セラミック又は布等とすることができる。これらのうちで、紙又はプラスチックが好ましい。紙又はプラスチックの場合は、シートの製造が容易であり、且つ製造費用が安価となる。
【００１２】
（２）絵あわせカード
この絵あわせカードは、上記シートの絵柄を分割した絵柄の断片が表記されたものである。この形状は、上記絵あわせシートを分割した形状であるため、上記シートの形状によって制約される。従って、上記シートの形状に基づき、矩形形状、ひし形形状、三角形状、六角形状等の多角形形状又は扇形形状等とすることができる。これらのうちで矩形が好ましい（図３参照）。製造、取扱及び収納等が容易であり、更に、遊戯に際して便利である。また、上記絵あわせカードの形状が矩形の場合は、縦寸法は、５０〜１００ｍｍ、好ましくは、６０〜９０ｍｍ、更に好ましくは６５〜８５ｍｍである。また、横寸法は、２５〜６０ｍｍ、好ましくは、３０〜５５ｍｍ、更に好ましくは４０〜５０ｍｍである。また、上記サイズのうちで特に好ましいのは、縦寸法が６５〜８５ｍｍであり、横寸法は、４０〜５０ｍｍである。上記範囲であると遊戯者が幼児又は学童等の場合は、この絵合わせカードが手に持ちやすく遊戯しやすい。
【００１３】
この絵あわせカードの枚数は、複数枚であり、絵あわせシート１枚に付き２〜６枚とすることができる。これらのうちで、４又は６枚が好ましい。特に４枚が好ましい。上記絵合わせカードの全体の枚数は、２０〜１２０枚、好ましくは３０〜９０、更に好ましくは４０〜６０である。この範囲であるとゲーム方法を複雑にすることなく、興趣を大きくすることができる。
この絵あわせカードの表面（平面）は、絵柄表記部を備え、この絵柄表記部には上記シートの絵柄の断片が表記されている。この表記部は絵柄表記部の他に、縁取り表記部及び／又は名称表記部を有することができる（図３参照）。
また、この絵あわせカードの各々は、同一形状及び同一材質からなる。
更に、この絵あわせカードの各々の裏面（底面）には、同一の模様が付されている。この模様の各々は同一であればよく、特に制限されない。この模様は無色で構成されていても良いし、着色されていても良い（図６参照）。
また、上記絵あわせカードの材質は、紙、プラスチック、金属、セラミック又は布等とすることができる。これらのうちで、紙又はプラスチックが好ましい。特に上記シートと同一の材質が好ましい。製造が容易であるためである。
また、本発明は、特殊カードを備えることができる。      
【００１４】
（３）特殊カード
この「特殊カード」は、前記絵柄の断片に代えて、遊戯を行うときに遊戯者が従う必要がある遊戯条件が表記されたものである。
その形状及び材質は、上記絵合わせカードと同一とされる。また、この特殊カードは、２〜１６枚とすることができる。好ましくは２〜１４枚、更に好ましくは２〜１２枚である。  この特殊カードは、条件を表記した条件表記部を有し，この条件表記部には、遊戯者全員に平等に与えられた遊戯機会に対し、該特殊カードを所有することとなった遊戯者の遊戯機会を制限する旨の遊戯条件が表記されている休みカードとすることができる。例えば１回又は２回休むという休みカードとすることができる（図４参照）。この休みカードの枚数は、特に制限はない。上記シートが２〜６シートである場合は１〜４枚、好ましくは１〜３枚、更に好ましくは１枚又は２枚である。また、上記シートが７〜１２シートである場合は、１〜４枚、好ましくは２〜４枚である。
【００１５】
また、上記特殊カードは、遊戯の場に表記部を裏にして無作為に置かれたカードを、更に無作為に混ぜることを指示する旨の遊戯条件が表記されているシャッフルカードとすることができる（図５参照）。このシャッフルカードの枚数は、特に制限はない。上記絵合わせシート２〜６枚につき２〜６枚、好ましくは３〜５枚、更に好ましくは３枚又は４枚である。また、上記絵合わせシート７〜１２枚につき２〜８枚、好ましくは３〜６枚、更に好ましくは４枚又は５枚である。
本発明の絵合わせ用ゲームカード具は、この特殊カードは、休みカード及びシャッフルカードの両方を備えることができる。この場合、上記絵合わせシート２〜６枚につき休みカードの枚数は１〜４枚であり、シャッフルカードの枚数は２〜６枚であり、好ましくは休みカードの枚数は１〜３枚、シャッフルカードの枚数は３〜５枚であり、更に好ましくは休みカードの枚数は１枚又は２枚、シャッフルカードの枚数は３枚又は４枚である。
また、上記絵合わせシート７〜１２枚につき休みカードの枚数は２〜４枚であり、シャッフルカードの枚数は２〜８枚であり、好ましくは休みカードの枚数は２〜４枚、シャッフルカードの枚数は３〜６枚であり、更に好ましくは休みカードの枚数は２〜４枚、シャッフルカードの枚数は４枚又は５枚である。
【実施例】
【００１６】
以下、図面に基づいて実施例により本考案を具体的に説明する。
本実施例のカードゲーム具は、以下のものから構成される。
（Ａ）着色した絵あわせシート１        ；１２枚
（Ｂ）無色の絵あわせシート２          ；１２枚
（Ｃ）絵あわせカード３                ；４８枚
（Ｄ）特殊カード（１回休みカード）４  ；４枚
（Ｅ）特殊カード（シャッフルカード）５；４枚
【００１７】
図１に示す着色絵あわせシート１は、紙製であり、縦寸法１５０ｍｍで且つ横寸法９５ｍｍの矩形形状を有している。この着色絵あわせシート１は、１２種の干支を表す異なった動物の絵柄が表記された１２枚からなる。
この着色絵あわせシート１は、表記部１１を有しており、表記部１１は、絵柄表記部１１ａ、縁取り表記部１１ｂ、名称表記部１１ｃとからなる。絵柄表記部１１ａは、図案化した干支を表す動物の着色した絵柄が表記されている。縁取り表記部１１ｂは、絵あわせシートごとに異なった色彩からなる縁取りを施したものである。
また、名称表記部１１ｃは、絵柄表記部１１ａに表記された動物の名前を表した漢字と、そのふりがな、及び括弧書きのひらがなで表わした動物名が表記されている（図１参照）。これにより、干支に係る動物だけでなく、ひらがな、干支を表す漢字までゲームを通して学習することができる。  
【００１８】
図２に示す無色で表記されている絵あわせシート２は、紙製であり、上記着色したシート１と同一形状、同一寸法及び同一材質である。この無着色の絵あわせシート２は、図１の表記部１１の着色部分が無色で表記されている表記部２１を有している。従って、図１の絵あわせシート１の縁取り表記部１１ｂに相当する箇所２１ｂにも、色彩はない。このシート２は、上記シート１に対応するように１２種の干支を表す異なった動物の絵柄が表記された１２枚からなる（図２参照）。
【００１９】
図３に示す絵あわせカード３は、紙製であり、縦寸法７５ｍｍで且つ横寸法５０ｍｍの矩形形状である。この絵あわせカード３は、図１に示す絵あわせシートを４分割したその一部の絵柄を表すものである。絵あわせカード３は、表記部３１を有し、この表記部は、絵柄表記部３１ａと、縁取り表記部３１ｂと、名称表記部３１ｃとからなる。
この絵あわせカード３は、干支を表す１２種の動物に対して、各４枚ずつで構成され合計４８枚からなる。
又、４８枚の絵あわせカード３の各々の裏面(底面）には擬人化された動物を含む同一の模様が付されている（図６参照）。      
【００２０】
図４及び図５に示す特殊カードの形状、大きさ及び材質は、上記絵柄カードと各々が同一である。また、この特殊カードの裏面は、上記絵柄カードの裏面と同一の模様が付されている。
図４に示すように、この特殊カードのうち「休みカード」４は、遊戯条件「１回休み」を表記した条件表記部４１ｃを有する。
また、図５に示すように、この特殊カードのうち「シャッフルカード」５は、条件表記部５１ｃに、このカードの指示する遊戯条件「シャッフル」が表記される。本実施例における特殊カードは、休みカード４及びシャッフルカード５はそれぞれ４枚ずつ合計８枚からなる。
本実施例の絵合わせ用カードゲーム具の使用方法を、ゲーム方法の参考例を用いて説明する。  
【００２１】
（Ｉ）ゲーム方法の参考例１
このゲーム方法の参考例（以下単に「参考例」という）１における遊戯者の人数は、特に限定されないが、４人の遊技者によってゲームが行われるものとする。ジャンケン等でリーダーを１人きめ、次いで、リーダーは、上記１２枚の絵あわせシート１の中から人数分である４枚を選び、図７に示すように遊戯の場７１に絵あわせシート１の表記部１１を表に向けて並べる。その後、上記４枚の選んだ絵あわせシート１に表記された絵柄を完成させるために必要な絵あわせカード３を用意する。図３に示すように絵あわせカード３は絵あわせシート１の絵柄を４分割したものであるため、絵あわせシート１枚に付き、４枚の絵あわせカード３を用意することになる。従って、本参考例の場合、４枚の絵あわせシートに対して、１６枚の絵あわせカード３が用意される。
【００２２】
次いで、上記用意した絵あわせカード３をよく混ぜて、図７に示すように、遊戯者７の４人に、絵あわせカード３を４枚ずつ配布する。ここで、配布当初から、遊戯者７のいずれかに配布された絵あわせカード３が、絵柄を完成するようにそろっている場合には、遊戯者７全員の手持ちの絵あわせカードを集めてよく混ぜ、再度、遊戯者７の４人に、絵あわせカード３を４枚ずつ配布する。
その後、各遊戯者７は、遊戯の場７１に並べられた４枚の絵あわせシート１の絵柄表記部１１ａと配布された絵あわせカード３の絵柄表記部３１ａを見比べて、４枚の絵あわせシート１のうちのいずれか１枚に表記された完成させるべき絵柄を頭の中で決定する。この場合、各遊戯者７は、各自に配布された絵あわせカード３を他の３人の遊戯者７に見られないようにする。      
【００２３】
次いで、図７に示すように遊戯者４人は「せーのポン」の掛け声と共に、同時に、右隣の遊戯者に、頭の中で考えた絵柄を完成させるために不要な絵あわせカード３を１枚、裏にして渡す。この動作を繰り返すことにより、各遊戯者７は頭の中で記憶した絵柄を次第に完成させていく。絵柄を完成させた遊戯者は「ポン」とコールして他の遊戯者に絵柄が完成した旨を伝え、絵あわせシート１の上に、集めた絵あわせカード３を載せる。絵柄を完成した遊戯者７が先ず、プレイから外れ、残った遊戯者７は、そのままプレイを続ける。そして、遊戯者７全員が、絵柄を完成させた時点でゲームが終了する。そして、早期に絵柄を完成した遊戯者の順から１位、２位と順位が決定される。  
この遊戯方法の参考例１では、遊戯者７は自己の集めようとする絵あわせカード３のみならず、他の遊戯者７が集めようとする絵あわせカード３まで考える必要があり、思考力が要求される。  
また、図７に示すように、各遊戯者７は手で絵あわせカードを持つため、絵あわせカード３が重なりあった状態で、絵柄を見ることになる。幼児であれば、両手で絵あわせカード３を持っても、重なり合う部分が多くなり、絵柄の判断が困難となる。そこで、絵あわせカード３の縁取り表記部３１ｂの色で集めるべき絵あわせカード３を判断することもできる。
【００２４】
（II）遊戯方法の参考例２
本遊戯方法においても、４人の遊技者によってゲームが行われるものとする。ジャンケン等でリーダーを１人きめ、次いで、リーダーは、絵あわせシート１の１２枚の中から人数分の２倍である８枚を選び、遊戯の場の中央に絵あわせシート１の表記部１１を表に向けて並べる。その後、選んだ絵あわせシート１の絵柄を完成させるために必要な絵あわせカード３を用意する。従って、本参考例の場合、８枚の絵あわせシートに対して、３２枚の絵あわせカード２０を用意することになる。上記以外は実施例１と同様にゲームを行う。  この参考例２では、２種類の絵柄を完成させる必要があり、同時に８枚の絵あわせカードを手で持ちながら絵柄を判断することになるため、上記参考例１よりも一段と、創造力、思考力が要求される。
【００２５】
（III）遊戯方法の参考例３  
本参考例では、４人の遊技者によってゲームが行われるものとする。ジャンケン等でリーダーを決め、各遊戯者は、リーダーから時計回りで、１２枚の絵あわせシート１の中からそれぞれ１枚ずつ絵あわせシート１を選ぶ。次いで、選んだ絵あわせシート１を各遊戯者の前に表記部１１を表にして並べる。その後、選んだ絵あわせシートの絵柄を完成させるために必要な絵あわせカード３を用意する。絵あわせカード３は絵あわせシート１の表記部１１の絵柄を４分割したものであるため、絵あわせシート１枚に付き、４枚の絵あわせカード３を用意することになる。従って、本参考例の場合、４枚の絵あわせシート１に対して、１６枚の絵あわせカード３を用意することになる。
次いで、上記用意した絵あわせカード３をよく混ぜ合わせて、遊戯の場の中央近辺に、表記部を裏にし、重なり合うことがないようにして無作為に置く（図９参照）。
【００２６】
その後、リーダーが、置かれた絵あわせカード３の中から１枚を選び、絵あわせカード３の表記部３１を表にし、選んだ絵あわせカード３の絵柄表記部３１ａと上記リーダーが選んだ絵あわせシート１の絵柄表記部１１ａを見比べて、絵あわせカード３の絵柄が絵あわせシート１の絵柄の断片である場合には、図１１に示すように選んだ絵あわせシート１の上に、絵あわせカード３を、表記部３１を表に向けて置く。この場合、リーダーはもう１枚遊戯の場にある絵あわせカード３を選ぶことができ、再度、同じプレイをすることができる。一方、選んだ絵あわせカード３が、リーダーの絵あわせシート１の絵柄の断片でない場合には、図１０に示すように選んだ絵あわせカード３を元の位置に表記部３１を裏にして戻す。
次に、リーダーから時計回りで順に、各遊戯者が上記リーダーと同じプレイをする。そして、絵柄を完成させた遊戯者は「ポン」とコールして他の遊戯者に絵柄が完成した旨を伝え、絵あわせシートの上に集めた絵あわせカード３を載せる。絵柄を最初に完成した遊戯者が先ず、プレイから外れ、残った遊戯者は、そのままプレイを続ける。そして、遊戯者全員が、絵柄を完成させた時点でゲームが終了、絵柄を早期に完成した遊戯者の順から１位、２位と順位が決定される。
この参考例３では、参考例１及び２に比較して、遊戯者が絵柄の完成に不要なカードであるとして表記部を裏にして戻したカードは、他の遊戯者に必要なカードとなるため、他の遊戯者にとっては、戻された位置を記憶しておくことが重要となる。従って、特に記憶力を育むのに役立つ。
【００２７】
（ＩＶ）遊戯方法の参考例４  
この参考例４は上記参考例３を応用したものであり、本参考例においても、４人の遊技者によってゲームが行われるものとする。ジャンケン等でリーダーを決定し、リーダーから時計回りで、各遊戯者は１２枚の絵あわせシート１の中からそれぞれ１枚ずつ絵あわせシート１を選ぶ。次いで、選んだ絵あわせシート１を各遊戯者の前に表記部１１を表にして並べる。その後、選んだ絵あわせシート１の絵柄を完成させるために必要な１６枚の絵あわせカード３、１枚の休みカード４、３枚のシャッフルカード５を用意する。用意した絵あわせカード３と、休みカード４と、シャッフルカード５とをよく混ぜ合わせて、遊戯の場の中央に、表記部を裏にし、重なり合うことがないようにして無作為に置く。
【００２８】
以下、上記参考例３と同じ要領で、リーダーから順に時計回りで、遊戯の場におかれた上記混ぜ合わせたカードから１枚の絵あわせカード３を選ぶことにより、絵柄の完成を目指す。ここで、遊戯者がシャッフルカード５を引き当てた場合には、そのシャッフルカード５を、元の位置に表記部を裏にして戻し、遊戯の場７１に表記部３１を裏にして置かれたカード全体を無作為に混ぜる。この場合、各遊戯者が記憶しておいた、遊戯の場７１に置かれた絵あわせカード３の位置が変更され、ゲームが意外な方向へ進むことになり、興趣が増す。
また、１回休みカードを引き当てた場合には、引き当てた遊戯者はその１回休みカードを元の位置に表記部を裏にして戻し、次の遊戯者にプレイの順番が移る。この場合もゲームが意外な方向へ進むことになり、興趣が増す。
その他については上記参考例３と同様に行う。
【００２９】
（Ｖ）遊戯方法の参考例５  
本参考例では、絵あわせシートを遊戯者一人に付き２枚とした以外は、上記参考例４と同様に遊戯を行った。本参考例によれば、さらにゲームが高度になり、興趣が増す。
【００３０】
（ＶＩ）遊戯方法の参考例６
本参考例では、着色した絵あわせシート１の代わりに、無色の絵あわせシート２（図２参照）を用いた以外は上記参考例３〜５と同様に遊戯を行った。無色の絵あわせシート２によれば、色による識別ができなくなるため、絵柄があわせにくくなる。従って、着色した絵あわせシート１の代わりに、無色の絵あわせシート２を用いることにより、より高度なゲームを楽しむことができる。
このため、大人の遊戯者のみ無色の絵あわせシート２を用いることとし、子供の遊戯者とハンディをつけることも可能である。この場合、幼児から大人まで本考案にかかるカードゲームを楽しむことができる。
【００３１】
〔実施例の効果〕
本実施例の絵合わせ用カードゲーム具によれば、幼児及び学童等は、一家団欒で楽しみながら、知らず知らずに干支の名称、漢字及びひらがなも覚えることができる。更に、遊戯方法の参考例１によれば、創造力及び思考力等が養われる。また、遊戯方法の参考例２によれば、シートが遊戯者１人に２枚となるため、創造力及び思考力等がいっそう養われる。更に遊戯方法の参考例３によれば、記憶力が養われる。また、遊戯方法の参考例４によれば、特殊カードを使用するため、ゲームが意外な展開をし、興趣がいっそう増す。更に、遊戯方法の参考例５によれば、絵合わせシートの枚数が増えるため、ゲームが高度になり更に興趣が増す。また、遊戯方法の参考例６によれば、無色の絵合わせシートを使用するため、ゲームが複雑且つ高度になり、興趣が増す。
【産業上の利用可能性】
【００３２】
本絵合わせ用カードゲーム具は、絵あわせを楽しみながら学習できる知育玩具として利用される。
【図面の簡単な説明】
【００３３】
【図１】本実施例に係る着色した絵あわせシートの平面図である。
【図２】本実施例に係る無色の絵あわせシートの平面図である。
【図３】本実施例に係る絵合わせカードの平面図である。
【図４】本実施例に係る特殊カード（１回休みカード）の平面図である。
【図５】本実施例に係る特殊カード（シャッフルカード）の平面図である。
【図６】本実施例に係る絵合わせカード及び特殊カードの底面図である。
【図７】本実施例に係るゲーム方法の参考例１を説明するための説明図である。
【図８】本実施例に係るゲーム方法の参考例２を説明するための説明図である。
【図９】本実施例に係るゲーム方法の参考例３を説明するための説明図である。
【図１０】本実施例に係るゲーム方法の参考例３を説明するための説明図である。
【図１１】本実施例に係るゲーム方法の参考例３を説明するための説明図である。
【符号の説明】
【００３４】
１；着色絵あわせシート、１１；表記部、１１ａ；絵柄表記部、１１ｂ；縁取り表記部、１１ｃ；名称表記部、２；無色絵合わせシート、３；絵合わせカード、３１；表記部、３１ａ；絵柄表記部、３１ｂ；縁取り表記部、３１ｃ；名称表記部、４；特殊カード（１回休みカード）、４１ｃ；条件表記部、５；特殊カード（シャッフルカード）、５１ｃ；条件表記部、７；遊戯者、７１；遊戯の場
【図１】
0003118091.tif 000003
【図２】
0003118091.tif 000004
【図３】
0003118091.tif 000005
【図４】
0003118091.tif 000006
【図５】
0003118091.tif 000007
【図６】
0003118091.tif 000008
【図７】
0003118091.tif 000009
【図８】
0003118091.tif 000010
【図９】
0003118091.tif 000011
【図１０】
0003118091.tif 000012
【図１１】
0003118091.tif 000013